(57)【要約】【課題】プロジェクタ全体の外形寸法を小さくすることができ、もって近年における小型化に応じることができるプロジェクタを提供する。【解決手段】冷却用ファンを含む音発生源７を内部空間の下方領域に有する外装ケース５を備え、この外装ケース５の前方に位置する投写面上に表示画像を投写するプロジェクタ１であって、外装ケース５の下方端部に取り付けられ、音発生源７からの発生音を吸収するための吸音部材３をさらに備え、この吸音部材３は、外装ケース５の前後・左右側面の下側部を覆うような帯状の弾性部材によって形成されていることを特徴とするプロジェクタ。【選択図】  図２
2005031248.tif 000002
【特許請求の範囲】
【請求項１】
冷却用ファンを含む音発生源を内部空間の下方領域に有する筐体を備え、表示画像を投写するプロジェクタであって、
前記筐体の下方端部に取り付けられ、前記音発生源からの発生音を吸収するための吸音部材をさらに備え、
この吸音部材は、前記筐体の前後・左右側面の下側部を覆うような帯状の弾性部材によって形成されていることを特徴とするプロジェクタ。
【請求項２】
請求項１に記載のプロジェクタにおいて、
前記吸音部材が、前記筐体の下方に突出する延在部を有し、
この延在部の高さ寸法は、前記筐体の脚部材の高さ寸法より大きい寸法に設定されていることを特徴とするプロジェクタ。
【請求項３】
請求項２に記載のプロジェクタにおいて、
前記延在部は、高さ方向に伸縮可能な蛇腹状の延在部からなることを特徴とするプロジェクタ。
【請求項４】
請求項１〜３のいずれかに記載のプロジェクタにおいて、
前記吸音部材は、前記筐体に対して着脱自在に取り付けられていることを特徴とするプロジェクタ。
【請求項５】
請求項１〜４のいずれかに記載のプロジェクタにおいて、
前記吸音部材は、前記筐体の周囲に延在する一連の枠状部材によって形成されていることを特徴とするプロジェクタ。
【発明の詳細な説明】
【０００１】
【発明の属する技術分野】
本発明は、冷却用ファン等の音発生源を備えたプロジェクタに関する。
【０００２】
【従来の技術】
一般に、プロジェクタは、照明光を射出する照明光学系と、この照明光学系からの照明光を画像信号に応じて変調する電気光学変調装置と、この電気光学変調装置によって変調された光を投写画像として投写面上に投写表示する投写光学系とを備えている。
【０００３】
このようなプロジェクタにおいては、照明光学系を冷却する際などに騒音が発生する。このため、この騒音の外部への漏洩を抑制するために吸音部材を内面に貼り付けた吸気・排気ダクトを筐体内に配設してなるプロジェクタが従来から提案されている（例えば、特許文献１参照。）。
【０００４】
【特許文献１】
特開２００１−６８８８２号公報（図１）
【０００５】
【発明が解決しようとする課題】
しかしながら、上記したプロジェクタにおいては、筐体内に吸音材を配置するためのスペースを必要とするため、プロジェクタ全体の外形寸法が大きくなり、近年における小型化に応じることができないという問題があった。
【０００６】
本発明は、このような技術的課題を解決するためになされたもので、プロジェクタ全体の外形寸法を小さくすることができ、もって近年における小型化に応じることができるプロジェクタを提供することを目的とする。
【０００７】
【課題を解決するための手段】
（１）本発明に係るプロジェクタは、冷却用ファンを含む音発生源を内部空間の下方領域に有する筐体を備え、表示画像を投写するプロジェクタであって、前記筐体の下方端部に取り付けられ、前記音発生源からの発生音を吸収するための吸音部材をさらに備え、この吸音部材は、前記筐体の前後・左右側面の下側部を覆うような帯状の弾性部材によって形成されていることを特徴とする。
【０００８】
このため、本発明のプロジェクタによれば、音発生源からの発生音が筐体を介して吸音部材に振動音として伝達され、この吸音部材において振動音が吸収される。同時に、音発生源からの発生音が筐体を介して下方空間に振動音として伝達され、さらにこの下方空間から吸音部材に伝達され、この吸音部材において振動音が吸収される。
このため、本発明のプロジェクタによれば、筐体内に吸音材を配置しなくとも十分な騒音抑制効果が得られるため、筐体内に従来必要とした吸音部材を配置するためのスペースを不要とすることができる。
よって、本発明のプロジェクタは、全体の外形寸法を小さくすることができ、近年における小型化に応じることができるプロジェクタとなる。
【０００９】
（２）上記（１）に記載のプロジェクタにおいては、前記吸音部材が、前記筐体の下方に突出する延在部を有し、この延在部の高さ寸法は、前記筐体の脚部材の高さ寸法より大きい寸法に設定されていることが好ましい。
このように構成されていると、延在部がプロジェクタの重量によって弾性変形した状態で設置台に密接することになる。このため、音発生源から筐体を介して筐体の下方空間に伝達される発生音が吸音部材において確実に吸収されるため、さらに高い騒音抑制効果が得られる。
【００１０】
（３）上記（２）に記載のプロジェクタにおいては、前記延在部は、高さ方向に伸縮可能な蛇腹状の延在部からなることが好ましい。
このように構成されていると、筐体における脚部材の高さ寸法に応じて延在部の形状が変化する。これにより、例えば脚部材を基準寸法より大きくして筐体を設置台上に設置すると、延在部が高さ方向に伸長した状態で設置台に密接する。また、脚部材の高さ寸法を基準寸法より小さくして筐体を設置台上に設置すると、延在部が高さ方向に収縮した状態で設置台に密接する。このため、プロジェクタの画像光を比較的高い投写面上に投写する場合も比較的低い投写面上に投写する場合も延在部が設置台に密接することとなり、いずれの場合にも十分な騒音抑制効果が得られる。
【００１１】
（４）上記（１）〜（３）のいずれかに記載のプロジェクタにおいては、前記吸音部材は、前記筐体に対して着脱自在に取り付けられていることが好ましい。
このように構成されていると、筐体を通常の設置状態にしてプロジェクタを使用する場合には、筐体に吸音部材を取り付けた状態でプロジェクタを使用する。
一方、筐体を天吊りの設置状態にしてプロジェクタを使用する場合のように筐体に吸音部材を取り付けない状態でプロジェクタを使用する場合には、筐体から吸音部材を取り外した状態でプロジェクタを使用することができる。
【００１２】
（５）上記（１）〜（４）のいずれかに記載のプロジェクタにおいては、前記吸音部材は、前記筐体の周囲に延在する一連の枠状部材によって形成されていることが好ましい。
このように構成されていると、筐体に対する吸音部材の取り付け・取り外しが一挙に行われ、その取り付け・取り外し作業の簡素化を図ることができる。
【００１３】
【発明の実施の形態】
以下、本発明が適用されたプロジェクタについて、図に示す実施の形態に基づいて説明する。
先ず、本発明の実施形態１について、図１〜図３を用いて説明する。
［実施形態１］
図１は、本発明の実施形態１に係るプロジェクタを示す分解斜視図である。図２は、同じく本発明の実施形態１に係るプロジェクタの使用状態を示す断面図である。図３は、本発明の実施形態１に係るプロジェクタの光学系を示す平面図である。
【００１４】
実施形態１に係るプロジェクタ１は、図１及び図２に示されるように、装置本体２及び吸音部材３を備え、例えば設置台４（図２に図示）上に設置して使用される。そして、図３に示されるように、照明光学系１００から射出される照明光をそれぞれ異なる波長域の３色の色光に色分離光学系２００によって分離した後、これら各色光を液晶表示装置（電気光学変調装置）４００Ｒ，４００Ｇ，４００Ｂを通し画像情報に対応させて変調し、さらにこれら変調光を色合成光学系５００によって合成し、この合成光（画像光）を投写光学系６００によって投写面上に投写表示するように構成されている。
【００１５】
装置本体２は、外装ケース５（図１及び図２に図示）及び光学系６（図３に図示）等から大略構成されている。
外装ケース（筐体）５は、ケース上面部を構成するアッパーケース５Ａ及びケース下面部を構成するロアケース５Ｂを有している。外装ケース５内の下方領域（ロアケース５Ｂ内）には、冷却用ファン及びファンモータ等を含む音発生源７が配置されている。外装ケース５の側面部には、ケース外の空気流をケース内に吸い込むための吸気口（図示せず）が配設されている。外装ケース５の前面部には、ケース内の空気流をケース外に吐き出すための排気口５ａが配設されている。
【００１６】
アッパーケース５Ａの上面部には、ケース前方側の幅方向略中央部に位置する多数のスピーカの放音孔５Ａ１が設けられている。また、その上面部には、排気口５ａの片側側方に位置し、かつプロジェクタ１の画質等を調整するための操作スイッチ８が配設されている。
【００１７】
ロアケース５Ｂの底面部には、ケース後方側の幅方向略中央部に位置する単一のリアフット９が、またケース前方側の幅方向左右両側部に位置する一対のフロントフット１０，１１がそれぞれ配設されている。リアフット９は、回動機構（図示せず）の操作によって回動する脚部材からなり、投写面上における表示画面の上下方向位置を調整し得るように構成されている。フロントフット１０，１１は、フット自体の回動操作によって進退する脚部材からなり、投写面上における表示画面の傾きを調整し得るように構成されている。
【００１８】
光学系６は、図３に示されるように、照明光学系（照明装置）１００と、色分離光学系２００と、リレー光学系３００と、３つの液晶表示装置４００Ｒ，４００Ｇ，４００Ｂと、クロスダイクロイックプリズム５００と、投写光学系６００とを備え、このうち投写光学系６００の一部を除き外装ケース５内に収納されている。
【００１９】
照明光学系１００は、光源ランプ１１０と、平行化レンズ１１６と、第１のレンズアレイ１２０と、第２のレンズアレイ１３０と、偏光変換素子１４０と、重畳レンズ１５０とを有している。光源ランプ１１０から射出された光束は平行化レンズ１１６により平行にされた後、第１のレンズアレイ１２０によって複数の微小な部分光束に分割され、各部分光束は第２のレンズアレイ１３０及び重畳レンズ１５０によって照明対象である３つの液晶表示装置４００Ｒ，４００Ｇ，４００Ｂの光入射面上で重畳される。
【００２０】
光源ランプ１１０は、楕円面リフレクタ１１０Ａ及び高圧水銀ランプからなる発光管１１０Ｂによって大略構成されている。なお、リフレクタ１１０Ａとしては、放物面リフレクタや球面リフレクタなどを用いることもできる。また、発光管１１０Ｂとしては、メタルハライドランプやキセノンランプなどの他のランプを用いることもできる。
【００２１】
平行化レンズ１１６は、リフレクタ光軸ＯＣと平行なレンズ光軸を有する凹レンズからなり、光源ランプ１１０の被照明領域側に配設されている。そして、リフレクタ１１０Ａからのランプ光を平行化するように構成されている。
【００２２】
第１のレンズアレイ１２０及び第２のレンズアレイ１３０は、小レンズをマトリックス状に配列して形成されている。
偏光変換素子１４０は、非偏光な光を３つの液晶表示装置４００Ｒ，４００Ｇ，４００Ｂで利用可能な偏光方向を有する偏光光に揃える機能を有している。
【００２３】
色分離光学系２００は、照明光学系１００から射出される照明光を、それぞれ異なる波長域の３色の照明光に分離する機能を有している。第１のダイクロイックミラー２１０は、略青色の光（以下「Ｂ光」という。）を反射するとともに、略緑色の光（以下「Ｇ光」という。）及び略赤色の光（以下「Ｒ光」という。）を透過させる。第１のダイクロイックミラー２１０で反射されたＢ光は、反射ミラー２３０でさらに反射され、フィールドレンズ２４０Ｂを透過してＢ用の液晶表示装置４００Ｂを照明する。
【００２４】
フィールドレンズ２４０Ｂは、照明光学系１００からの複数の部分光束をそれぞれ液晶表示装置４００Ｂを照明するように集光する。通常、各部分光束が、それぞれ略平行な光束となるように設定されている。他の液晶表示装置４００Ｇ，４００Ｒの前に配設されたフィールドレンズ２４０Ｇ，３５０も、フィールドレンズ２４０Ｂと同様に構成されている。
【００２５】
第１のダイクロイックミラー２１０を透過したＧ光とＲ光のうちＧ光は、第２のダイクロイックミラー２２０によって反射され、フィールドレンズ２４０Ｇを透過してＧ用の液晶表示装置４００Ｇを照明する。一方、Ｒ光は、第２のクロイックミラー２２０を透過し、リレー光学系３００を通過してＲ用の液晶表示装置４００Ｒを照明する。
【００２６】
リレー光学系３００は、入射側レンズ３１０，入射側反射ミラー３２０，リレーレンズ３３０，射出側反射ミラー３４０及びフィールドレンズ３５０を有している。色分離光学系２００から射出されたＲ光は、入射側レンズ３１０によってリレーレンズ３３０の近傍で収束し、フィールドレンズ３５０（及び射出側反射ミラー３４０）に向かって発散する。フィールドレンズ３５０に入射する光束の大きさは、入射側レンズ３１０に入射する光束の大きさに略等しくなるように設定されている。
【００２７】
各色用の液晶表示装置４００Ｒ，４００Ｇ，４００Ｂは、それぞれの光入射面に入射した色光を、それぞれに対応する色信号（画像信号）に応じた光に変換し、これら変換された光を透過光として射出する。これら液晶表示装置４００Ｒ，４００Ｇ，４００Ｂの入射側には入射側偏光板９１８Ｒ，９１８Ｇ，９１８Ｂがそれぞれ配置され、射出側には射出側偏光板９２０Ｒ，９２０Ｇ，９２０Ｂがそれぞれ配置されている。液晶表示装置４００Ｒ，４００Ｇ，４００Ｂとしては、透過型の液晶表示装置が用いられる。
【００２８】
クロスダイクロイックプリズム５００は、各色用の液晶表示装置４００Ｒ，４００Ｇ，４００Ｂから射出される各色の変換光を合成する色合成光学系としての機能を有する。そして、Ｒ光を反射するＲ光反射ダイクロイック面５１０Ｒと、Ｂ光を反射するＢ光反射ダイクロイック面５１０Ｂとを有している。Ｒ光反射ダイクロイック面５１０Ｒ及びＢ光反射ダイクロイック面５１０Ｂは、Ｒ光を反射する誘電体多層膜とＢ光を反射する誘電体多層膜とを４つの直角プリズムの界面に略Ｘ字状に形成することにより設けられている。これら両反射ダイクロイック面５１０Ｒ，５１０Ｂによって３色の変換光が合成され、カラー画像を表示する光が生成される。クロスダイクロイックプリズム５００において合成された光は、投写光学系６００に向かって射出される。
【００２９】
投写光学系６００は、クロスダイクロイックプリズム５００からの合成光を表示画像としてスクリーンなどの投写画上に投写表示するように構成されている。
【００３０】
一方、吸音部材３は、図１及び図２に示されるように、外装ケース５の前後・左右側面の下側部（ロアケース５Ｂ）を覆うようなゴム等の帯状の弾性部材であり、音発生源７からの発生音を吸収し得るように構成されている。
このため、音発生源からの発生音がロアケース５Ｂを介して吸音部材３に振動音として伝達され、この吸音部材３において振動音が吸収される。同時に、音発生源からの発生音が筐体（ロアケース５Ｂ）を介して下方空間に振動音として伝達され、さらにこの下方空間から吸音部材３に伝達され、この吸音部材３において振動音が吸収される。
その結果、実施形態１に係るプロジェクタ１によれば、筐体内に吸音材を配置しなくとも十分な騒音抑制効果が得られるため、筐体内に従来必要とした吸音部材を配置するためのスペースを不要とすることができる。
【００３１】
吸音部材３は、外装ケース５の下方端部（ロアケース５Ｂ）に着脱自在に取り付けられている。このため、筐体を通常の設置状態にしてプロジェクタを使用する場合には、筐体（外装ケース５）に吸音部材３を取り付けた状態でプロジェクタを使用する一方、筐体を天吊りの設置状態にしてプロジェクタを使用する場合のように筐体（外装ケース５）に吸音部材２を取り付けない状態でプロジェクタを使用する場合には、筐体（外装ケース５）から吸音部材３を取り外した状態でプロジェクタを使用する。
【００３２】
吸音部材３は、ロアケース５Ｂの周囲に延在する一連の四角枠状部材からなる。このため、筐体（外装ケース５）に対する吸音部材の取り付け・取り外しを一挙に行なうことができ、その取り付け・取り外し作業の簡素化を図ることができる。
【００３３】
吸音部材３は、図２に２点鎖線で示されるように、外装ケース５の下方に突出する延在部３Ａを有している。延在部３Ａの高さ寸法は、設置台４に対する外装ケース５の設置前の状態においてリアフット９及びフロントフット１０，１１の高さ寸法より大きい寸法に設定されている。これにより、延在部３Ａがプロジェクタ１の重量によって例えば外側に（２点鎖線の状態から実線の状態に）弾性変形して設置台４に密接することになる。このため、音発生源７から外装ケース５を介してロアケース５Ｂの下方空間Ｇに伝達される発生音が吸音部材３において確実に吸収され、十分な騒音抑制効果が得られる。
なお、設置面４に対する外装ケース５の設置状態を解除する（外装ケース５を設置台４から離間させる）と、延在部３Ａは実線の状態から２点鎖線の状態に弾性復帰する。
【００３４】
以上の構成により、本実施形態に係るプロジェクタ１によれば、吸音部材３が外装ケース５の前後・左右側面の下側部及び下方空間Ｇを覆うようなサイズに設定されているため、音発生源７からの発生音が外装ケース５を介して吸音部材３に振動音として伝達され、この吸音部材３において振動音が吸収される。同時に、音発生源７からの発生音が外装ケース５を介して下方空間Ｇに振動音として伝達され、さらにこの下方空間Ｇから吸音部材３に伝達され、この吸音部材３において振動音が吸収される。このため、筐体内に吸音材を配置しなくとも十分な騒音抑制効果が得られるため、筐体内に従来必要とした吸音部材を配置するためのスペースを不要とすることができ、プロジェクタ全体の外形寸法を短縮することができ、近年における小型化に応じることができるプロジェクタとなる。
【００３５】
次に、本発明の実施形態２について、図４を用いて説明する。
［実施形態２］
図４は、本発明の実施形態２に係るプロジェクタの要部を示す断面図である。図４において、図２と同一の部材については同一の符号を付し、詳細な説明は省略する。
実施形態２に係るプロジェクタ１Ａは、図４に示されるように、吸音部材３０が、外装ケース５の下方に突出し、かつ高さ方向に伸縮可能な蛇腹状の延在部３０Ａを有する点に特徴がある。これにより、外装ケース５を設置台４上に設置する場合には、リアフット９及びフロントフット１０，１１（図２に図示）の高さ寸法に応じて延在部３０Ａの形状が変化する。
【００３６】
このため、例えばリアフット９及びフロントフット１０，１１の高さ寸法を基準寸法より大きくして外装ケース５を設置台４上に設置すると、吸音部材３０の延在部３０Ａが基準寸法より高さ方向に伸長した状態で設置台４に密接することになる。また、例えばリアフット９及びフロントフット１０，１１の高さ寸法を基準寸法より小さくして外装ケース５を設置台４上に設置すると、吸音部材３０の延在部３０Ａが基準寸法より高さ方向に収縮した状態で設置台４に密接することになる。
【００３７】
このため、プロジェクタ１Ａの画像光を比較的高い投写面上に投写する場合も比較的低い投写面上に投写する場合も延在部３が設置台４に密接することとなり、いずれの場合にも十分な騒音抑制効果を得ることができる。
【００３８】
なお、上記した各実施形態においては、吸音部材３，３０がゴム等の弾性部材からなる場合について説明したが、本発明はこれに限定されず、スポンジ等の他の弾性部材であっても各実施形態と同様の効果を奏する。
また、各実施形態においては、無端（枠）状の吸音部材３，３０を外装ケース５の下方端部に一挙に取り付ける場合について説明したが、本発明はこれに限定されず、有端状の吸音部材を外装ケースの下方端部に巻き付け接着テープや止め金等で取り付けたようなものであってもよい。
【図面の簡単な説明】
【図１】本発明の実施形態１に係るプロジェクタを示す分解斜視図。
【図２】本発明の実施形態１に係るプロジェクタの使用状態を示す断面図。
【図３】本発明の実施形態１に係るプロジェクタの光学系を示す平面図。
【図４】本発明の実施形態２に係るプロジェクタの使用状態を示す断面図。
【符号の説明】
１，１Ａ  プロジェクタ、２  装置本体、３  吸音部材、３Ａ  延在部、４  設置台、５  外装ケース、５Ａ  アッパーケース、５Ａ１  スピーカの放音孔、５ａ  排気口、５Ｂ  ロアケース、７  音発生源、８  操作スイッチ、９  リアフット、１０，１１  フロントフット、Ｇ  下方空間
【図１】
2005031248.tif 000003
【図２】
2005031248.tif 000004
【図３】
2005031248.tif 000005
【図４】
2005031248.tif 000006